(57)【要約】【課題】貯氷容器を引き出す際に貯氷容器から氷が飛び出してしまうことを防止することができる冷凍冷蔵庫を提供する。【解決手段】離氷時に上下反転するよう回動される製氷皿２１と、前方に引き出し可能に製氷皿２１の下方に配置されて製氷皿２１で製造された氷を貯える上部が開口している貯氷容器３０と、を有し、貯氷容器３０の後壁３１には、後壁３１の内面であって後壁３１の上端よりも低い位置に、前方に向かって突出する落下防止部３５が形成されている。これにより、貯氷容器３０を前方に引き出す際に、落下防止部３５で氷の動きを抑え、氷が後壁３１を乗り越えて貯氷容器３０の外部に飛び出してしまうことを防止することができる。【選択図】図４
2018031552.tif 000002
【特許請求の範囲】
【請求項１】
離氷時に上下反転するよう回動される製氷皿と、
前方に引き出し可能に前記製氷皿の下方に配置されて前記製氷皿で製造された氷を貯える上部が開口している貯氷容器と、を有し、
前記貯氷容器の後壁には、前記後壁の内面であって前記後壁の上端よりも低い位置に、前方に向かって突出する落下防止部が形成されていることを特徴とする冷凍冷蔵庫。
【請求項２】
前記落下防止部は、前記貯氷容器が所定の取り付け位置に配置された状態において前記製氷皿の回転軌跡の最下点よりも下方となる位置に形成されていることを特徴とする請求項１に記載の冷凍冷蔵庫。
【請求項３】
前記落下防止部の前端は、前記貯氷容器が所定の取り付け位置に配置された状態において前記製氷皿の後端よりも前方に位置することを特徴とする請求項２に記載の冷凍冷蔵庫。
【請求項４】
回動して前記貯氷容器内の氷の量を検知する貯氷量検知レバーを有し、
前記後壁の上端には、前記貯氷容器を引き出す際に前記貯氷量検知レバーの通過を可能とする凹部が形成されており、
前記落下防止部は、前記凹部よりも下方に形成されていることを特徴とする請求項１ないし請求項３の何れか１項に記載の冷凍冷蔵庫。
【請求項５】
前記後壁の上端には、該上端を覆って前方及び後方に向かって突出する第２の落下防止部が形成されており、
前記落下防止部の前端は、前記第２の落下防止部の前端よりも前方に位置することを特徴とする請求項１ないし請求項４の何れか１項に記載の冷凍冷蔵庫。
【発明の詳細な説明】
【技術分野】
【０００１】
本発明は、冷凍冷蔵庫に関し、特に、氷を貯える貯氷容器からの氷の飛び出しを防止することができる冷凍冷蔵庫に関する。
【背景技術】
【０００２】
従来、冷凍室等の内部に、氷を貯える引き出し式の貯氷容器を備える冷凍冷蔵庫がある。この種の冷凍冷蔵庫おいて、貯氷容器を前方に引き出す際に氷が貯氷容器の外部に落下してしまうことを防止するため、貯氷容器の後壁の上端に落下防止部を設けることが知られている。
【０００３】
例えば、特許文献１には、貯氷容器である貯氷箱の開口部の後端に落下防止板を設けることが開示されている。図６は、特許文献１に開示された冷蔵庫の貯氷箱の内箱１３０を示す斜視図である。図６に示すように、同文献の内箱１３０は、上部に長方形状の開口部１３３が形成された略箱状の容器である。内箱１３０には、開口部１３３の後端１３６に屋根形状の細長の落下防止板１３４が設けられている。落下防止板１３４は、氷の大きさよりやや大きく、開口部１３３の後端１３６を覆うように形成されている。
【０００４】
上記構成の内箱１３０によれば、氷を取り出すために使用者によって貯氷箱が前方に引き出される際、引き出された勢いで氷が後方に移動して後端１３６を超えて落下しそうになるが、落下防止板１３４によって氷が係止されて外側への落下が防止される。
【先行技術文献】
【特許文献】
【０００５】
【特許文献１】特開平９−２５７３５１号公報（第２−３頁、第１図）
【発明の概要】
【発明が解決しようとする課題】
【０００６】
しかしながら、上記した従来技術では、氷の落下を防止する効果を更に高めるために改善すべき点があった。具体的には、特許文献１に開示された従来技術のように、開口部１３３の後端１３６、即ち後壁の上端に、落下防止部としての落下防止板１３４を設ける構成では、貯氷容器を勢い良く開閉すると、氷が貯氷容器の外部に飛び出してしまう恐れがあった。
【０００７】
特に、貯氷容器の後方に送風機、冷却器、ダンパ、供給風路等を配置するために貯氷容器の配置や大きさが制限され、貯氷容器の後壁と製氷皿の後端との距離が短い場合、製氷皿との接触を避けるため、落下防止板１３４を十分な長さに形成することができない。このように貯氷容器の形態等が制限され、落下防止板１３４の長さを十分に確保できない場合には、落下防止板１３４による氷の落下を防止する効果が低下してしまう。
【０００８】
本発明は、上記の事情に鑑みてなされたものであり、その目的とするところは、貯氷容器を引き出す際に貯氷容器から氷が飛び出してしまうことを防止することができる冷凍冷蔵庫を提供することにある。
【課題を解決するための手段】
【０００９】
本発明の冷凍冷蔵庫は、離氷時に上下反転するよう回動される製氷皿と、前方に引き出し可能に前記製氷皿の下方に配置されて前記製氷皿で製造された氷を貯える上部が開口している貯氷容器と、を有し、前記貯氷容器の後壁には、前記後壁の内面であって前記後壁の上端よりも低い位置に、前方に向かって突出する落下防止部が形成されていることを特徴とする。
【００１０】
また、本発明の冷凍冷蔵庫は、前記落下防止部は、前記貯氷容器が所定の取り付け位置に配置された状態において前記製氷皿の回転軌跡の最下点よりも下方となる位置に形成されていることを特徴とする。
【００１１】
また、本発明の冷凍冷蔵庫は、前記落下防止部の前端は、前記貯氷容器が所定の取り付け位置に配置された状態において前記製氷皿の後端よりも前方に位置することを特徴とする。
【００１２】
また、本発明の冷凍冷蔵庫は、回動して前記貯氷容器内の氷の量を検知する貯氷量検知レバーを有し、前記後壁の上端には、前記貯氷容器を引き出す際に前記貯氷量検知レバーの通過を可能とする凹部が形成されており、前記落下防止部は、前記凹部よりも下方に形成されていることを特徴とする。
【００１３】
また、本発明の冷凍冷蔵庫は、前記後壁の上端には、該上端を覆って前方及び後方に向かって突出する第２の落下防止部が形成されており、前記落下防止部の前端は、前記第２の落下防止部の前端よりも前方に位置することを特徴とする。
【発明の効果】
【００１４】
本発明の冷凍冷蔵庫によれば、貯氷容器の後壁には、前記後壁の内面であって前記後壁の上端よりも低い位置に、前方に向かって突出する落下防止部が形成されている。これにより、貯氷容器を前方に引き出す際に、前方の氷に押されて後壁に沿って上方に押し上げられる氷若しくは後壁に衝突して跳ね上がる氷の動きを落下防止部で抑え、氷が後壁を乗り越えて貯氷容器の外部に飛び出してしまうことを防止することができる。特に、落下防止部が後壁の上端よりも低い位置に形成されることにより、氷の移動量を小さくして、勢い良く滑り出す氷の移動を速度が上昇する前に効果的に規制することができ、氷の落下を防止する優れた効果が得られる。
【００１５】
また、本発明の冷凍冷蔵庫によれば、前記落下防止部は、前記貯氷容器が所定の取り付け位置に配置された状態において前記製氷皿の回転軌跡の最下点よりも下方となる位置に形成されている。これにより、落下防止部が製氷皿に接触することなく、落下防止部の突き出し長さを大きく確保することができる。よって、氷の落下を防止する効果を高めることができる。
【００１６】
また、落下防止部が製氷皿に接触する恐れがないので、貯氷容器の後壁と製氷皿の後端との距離を小さくすることができる。よって、貯氷容器の後方に冷却器や送風機、ダンパ、供給風路等を配置するための容積を大きく確保することができる。
【００１７】
また、本発明の冷凍冷蔵庫によれば、前記落下防止部の前端は、前記貯氷容器が所定の取り付け位置に配置された状態において前記製氷皿の後端よりも前方に位置する。これにより、氷の動きを規制する効果が高められ、氷の落下を防止する優れた効果が得られる。
【００１８】
また、本発明の冷凍冷蔵庫によれば、前記後壁の上端には、前記貯氷容器を引き出す際に前記貯氷量検知レバーの通過を可能とする凹部が形成されており、前記落下防止部は、前記凹部よりも下方に形成されている。これにより、貯氷量検知レバーを通過させるための凹部から氷が外部に飛び出してしまうことを抑えることができる。
【００１９】
また、本発明の冷凍冷蔵庫によれば、前記後壁の上端には、該上端を覆って前方及び後方に向かって突出する第２の落下防止部が形成されている。これにより、氷が後壁を乗り越えてしまうことを防止し、氷の飛び出しを防止する効果を更に高めることができる。また、前記落下防止部の前端は、前記第２の落下防止部の前端よりも前方に位置する。これにより、氷の動きを効果的に抑えて氷の飛び出しを防止しつつ、貯氷容器の後壁を製氷皿の後端に近づけて、貯氷容器の外部後方の容積を大きく確保することができる。
【図面の簡単な説明】
【００２０】
【図１】本発明の実施形態に係る冷凍冷蔵庫の概略構成を示す側面断面図である。
【図２】本発明の実施形態に係る冷凍冷蔵庫の自動製氷機及び貯氷容器の一部分を破断して示す斜視図である。
【図３】本発明の実施形態に係る冷凍冷蔵庫の貯氷容器の斜視図である。
【図４】本発明の実施形態に係る冷凍冷蔵庫の貯氷容器の側面断面及び自動製氷機を示す図である。
【図５】本発明の実施形態に係る冷凍冷蔵庫の自動製氷機及び貯氷容器を示す平面図である。
【図６】従来技術の冷蔵庫の貯氷箱の例を示す斜視図である。
【発明を実施するための形態】
【００２１】
以下、本発明の実施形態に係る冷凍冷蔵庫を図面に基づき詳細に説明する。
【００２２】
図１は、本発明の実施形態に係る冷凍冷蔵庫１の概略構成を示す側面断面図である。図１に示すように、冷凍冷蔵庫１は本体としての断熱箱体２を備え、断熱箱体２の内部には、食品等を貯蔵する貯蔵室が形成されている。
【００２３】
冷凍冷蔵庫１の本体である断熱箱体２は、前面に開口部を有する鋼板製の外箱２ａと、該外箱２ａ内に間隙を持たせて配設される合成樹脂製の内箱２ｂと、外箱２ａと内箱２ｂとの間隙に充填発泡される発泡ポリウレタン製の断熱材２ｃと、から構成されている。
【００２４】
貯蔵室の内部は、保存温度の異なる３つの収納室、即ち冷蔵室３と、冷凍室４と、野菜室５と、に区画されている。具体的には、最上段の冷蔵室３と、その下段に位置する冷凍室４との間は、断熱仕切壁１２によって仕切られている。冷凍室４と、その下段に位置する野菜室５との間は、断熱仕切壁１３で仕切られている。
【００２５】
冷凍室４の内部には、氷を製造するための製氷皿２１を含む自動製氷機２０や、氷を貯蔵する貯氷容器３０、冷凍保存される食品等を収納するための収納容器２９等が設けられる。冷蔵室３の内部には、製氷用の水を貯える給水タンク２６が配設される。給水タンク２６内の水は、図示しない給水ポンプ等によって送り出されて導水管２７を経由して冷凍室４内の製氷皿２１に供給される。また、冷蔵室３及び野菜室５の内部には、食品等を収納するための図示しない棚や図示しない収納容器等が配設される。
【００２６】
断熱箱体２の前面は開口しており、冷蔵室３、冷凍室４及び野菜室５に夫々対応する前記開口には、各々断熱箱体２と略同等の断熱構造を有する扉６、扉７、扉８が開閉自在に設けられている。冷蔵室３の前記開口を塞ぐ扉６は、側辺近傍の上下部が断熱箱体２に回動自在に支持されている。冷凍室４及び野菜室５を夫々塞ぐ扉７及び扉８は、冷凍冷蔵庫１の前方に引出自在に、断熱箱体２に支持されている。収納容器２９及び貯氷容器３０は、扉７と共に前方に引き出されるように、扉７を支持する図示しないフレームに取り付けられている。
【００２７】
冷凍室４の奥、即ち後方には、冷凍室４につながり冷気を供給するための供給風路１０が形成されている。供給風路１０は、冷気を流す吹出口が形成された合成樹脂製の仕切体によって冷凍室４と仕切られている。
【００２８】
供給風路１０の更に後方の断熱箱体２の内部には、合成樹脂製の仕切体によって供給風路１０及び冷凍室４と仕切られて、冷却室９が形成されている。冷却室９の内部には、貯蔵室内を循環する空気を冷却するための冷却器１６が配設されている。
【００２９】
冷却器１６は、伝熱管の内部を冷媒流路とする、例えば、フィンチューブ式の熱交換器等である。冷却器１６は、圧縮機１５、図示しない放熱器、及び図示しないキャピラリーチューブ若しくは膨張弁に冷媒配管を介して接続される。これにより、蒸気圧縮式の冷凍サイクル回路が構成される。なお、圧縮機１５、放熱器の一部、及び放熱器に送風する図示しない放熱ファン等は、冷凍冷蔵庫１の下部後方に形成される機械室に配設される。また、冷凍冷蔵庫１では、冷凍サイクル回路の冷媒としてＲ６００ａ、即ちイソブタンを用いている。
【００３０】
冷却室９の上部には、供給風路１０につながる開口である送り口が形成され、その送り口には、冷気を循環させるための送風機１７が取り付けられている。即ち、送風機１７は、冷却器１６で冷却された空気を冷却室９から貯蔵室へと流すものであり、例えば、軸流送風機等である。また、冷却室９の下部には、冷凍室４から冷却室９に空気を戻す開口である戻り口が形成されている。
【００３１】
冷蔵室３の奥、即ち後方には、合成樹脂製の仕切体で区画され、冷蔵室３に冷気を供給するための供給風路１１が形成されている。供給風路１１は、供給風路１０につながると共に吹出口を介して冷蔵室３につながっている。
【００３２】
また、冷凍冷蔵庫１は、冷蔵室３と野菜室５をつなぎ、野菜室５に冷気を供給するための図示しない供給風路や、冷蔵室３や野菜室５と冷却室９をつなぎ、冷蔵室３や野菜室５から冷却室９に冷気を戻すための図示しない帰還風路等を有する。また、供給風路１０や供給風路１１等には、貯蔵室に供給される冷気の流量を制御して、貯蔵室の内部の温度を適切に維持するため図示しないダンパ等が設けられても良い。
【００３３】
図２は、自動製氷機２０及び貯氷容器３０の一部分を破断して示す斜視図である。前述の通り、自動製氷機２０及び貯氷容器３０は、冷凍室４の内部に配設される。図２に示すように、貯氷容器３０は、収納容器２９の内部であって自動製氷機２０の製氷皿２１の下方に配置される。
【００３４】
自動製氷機２０は、冷凍冷蔵庫１に固定されて下部が開口している取付フレーム２４を有する。水を凍結させるための容器である製氷皿２１は、取付フレーム２４に対して回動自在に支持されている。
【００３５】
製氷皿２１は、離氷時には、例えば、モータ等である駆動装置２２（図１参照）によって上下が略反転するように回動される。なお、製氷皿２１の一部には、取付フレーム２４に当接して製氷皿２１の回動を規制するストッパ部が形成されている。駆動装置２２によって製氷皿２１が反転される際、製氷皿２１は、駆動装置２２による回転力と、ストッパ部による回転を規制する反力とによって、捻じられるように撓む。これにより、製氷皿２１内で凍結した氷が製氷皿２１から離れ、製氷皿２１の下方に配置される貯氷容器３０内の貯氷空間４０に落下して貯えられる。なお、貯氷容器３０の内面底部には、製氷皿２１から落下する氷と貯氷容器３０との衝突音を軽減するため、例えば、発泡樹脂等からなる緩衝部材３９が配置されている。
【００３６】
図３は、貯氷容器３０の斜視図である。貯氷容器３０は、製氷皿２１で製造された氷を貯える容器であり、図３に示すように、上部が開口した略長方形状の箱状体である。貯氷容器３０は、例えば、合成樹脂等から成形される。
【００３７】
貯氷容器３０の後壁３１の内面、即ち貯氷空間４０側の面には、前方である貯氷空間４０側に向かって突出する略板状の落下防止部３５が形成されている。落下防止部３５は、貯氷容器３０を前方に引き出す際に、貯氷空間４０内の氷が外部に飛び出してしまうことを防止するものである。
【００３８】
落下防止部３５は、貯氷容器３０の一方の側壁３２から他方の側壁３３に達するよう冷凍冷蔵庫１の幅方向に略水平に延在する。これにより、後壁３１に沿って押し上げられる若しくは跳ね上がる氷を効果的に止めることができる。
【００３９】
また、後壁３１の上端には、該上端を覆って前方の貯氷空間４０側及び後方の外部に向かって突出する第２の落下防止部３６が形成されている。第２の落下防止部３６も、貯氷空間４０からの氷の飛び出しを防止する機能を有する。
【００４０】
また、後壁３１の上端には、貯氷容器３０を前方に引き出す際に貯氷量検知レバー２３（図４参照）が通過できるように下方に向かって凹む凹部３８が形成されている。落下防止部３５は、凹部３８よりも下方に形成され、且つ凹部３８に対応する位置にも形成されている。これにより、貯氷量検知レバー２３を通過させるための凹部３８から氷が外部に飛び出してしまうことを抑えることができる。
【００４１】
図４は、貯氷容器３０の側面断面及び自動製氷機２０を示す図である。図５は、自動製氷機２０及び貯氷容器３０を示す平面図である。図４に示すように、貯氷容器３０の内部は、底部から立設される隔壁３７によって、前方の図示しないシャベル等を収納する空間４１と、後方の氷を貯える貯氷空間４０と、に区画されている
【００４２】
貯氷容器３０は、前述の通り、冷凍冷蔵庫１に設けられた自動製氷機２０の下方に、前方へ引出自在に配置される。自動製氷機２０は、貯氷容器３０内の氷の量を検知する貯氷量検知レバー２３を有し、貯氷量検知レバー２３は、その先端が下方に向かって回動して氷と接触することにより、所定量の氷が貯えられているか否かを検知する。
【００４３】
例えば、貯氷量検知レバー２３によって貯氷容器３０内の氷の量が所定量に達していないことが検知される場合、製氷皿２１で氷が製造されたら、駆動装置２２によって製氷皿２１が回動され離氷動作が実行される。そして、離氷動作の後には、駆動装置２２によって製氷皿２１が元の位置に戻され、その後、給水タンク２６（図１参照）から製氷皿２１に製氷用の水が供給される。他方、貯氷量検知レバー２３によって貯氷容器３０内の氷の量が所定量に達していると検知される場合には、製氷皿２１で氷が製造されても離氷動作は行われない。
【００４４】
前述の通り、貯氷容器３０の後壁３１には落下防止部３５が形成されている。詳しくは、落下防止部３５は、後壁３１の内面であって、後壁３１の上端よりも低い位置に形成される。これにより、貯氷容器３０を前方に引き出す際に、前方の氷に押されて後壁３１に沿って上方に押し上げられる氷若しくは後壁３１に衝突して跳ね上がる氷の動きを落下防止部３５で抑え、氷が後壁３１を乗り越えて貯氷容器３０の外部に飛び出してしまうことを防止することができる。
【００４５】
特に、落下防止部３５が後壁３１の上端よりも低い位置に形成されることにより、氷の移動量を小さくして、勢い良く滑り出す氷の移動を速度が上昇する前に効果的に規制することができ、氷の落下を防止する優れた効果が得られる。
【００４６】
なお、氷を効果的に押さえて貯氷容器３０からの氷の落下を防止する効果を高めるために、貯氷容器３０の内面底部から落下防止部３５までの高さ寸法は、氷の大きさよりも大きい寸法であることが望ましい。
【００４７】
また、前述の通り、後壁３１の上端には、該上端を覆って前方及び後方に向かって突出する第２の落下防止部３６が形成されている。詳しくは、第２の落下防止部３６は、後壁３１の上端から前方に向かって僅かに突出すると共に、後方に向かって前方よりも長く突出している。これにより、氷が後壁３１を乗り越えてしまうことを防止し、氷の飛び出しを防止する効果を更に高めることができる。
【００４８】
また、落下防止部３５は、貯氷容器３０が所定の取り付け位置に配置された状態において製氷皿２１の回転軌跡２１Ａの最下点よりも下方となる位置に形成されている。これにより、落下防止部３５が製氷皿２１に接触することなく、落下防止部３５の突き出し長さを大きく確保することができる。
【００４９】
具体的には、落下防止部３５の前端３５ａは、第２の落下防止部３６の前端３６ａよりも前方に位置し、且つ、貯氷容器３０が所定の取り付け位置に配置された状態において製氷皿２１の後端２１ａよりも前方に位置する。
【００５０】
即ち、平面図である図５に示すように、貯氷容器３０が所定の取り付け位置に配置された状態において、落下防止部３５は、製氷皿２１の後端２１ａ近傍と平面視で重なっている。これにより、落下防止部３５による氷の動きを規制する効果が高められ、氷の落下を防止する優れた効果が得られる。
【００５１】
また、図４に示すように、第２の落下防止部３６の前端３６ａは、落下防止部３５の前端３５ａよりも後方に位置する。即ち、落下防止部３５は、前方に長く突き出し、第２の落下防止部３６は、落下防止部３５よりも前方への突き出し長さが短い。
【００５２】
このような構成により、前方に長く突出した落下防止部３５によって氷の動きを効果的に抑えて氷の飛び出しを防止しつつ、貯氷容器３０の後壁３１を製氷皿２１の後端２１ａに近づけることができる。よって、貯氷容器３０の外部後方に、図１に示す冷却器１６や送風機１７、供給風路１０、その他図示しないダンパ等を配置するための容積を大きく確保することができる。
【００５３】
また、落下防止部３５及び第２の落下防止部３６の貯氷空間４０側の下面には、略三角形板状で落下防止部３５及び第２の落下防止部３６と後壁３１とを夫々つなぐ補強リブ４３及び補強リブ４４が形成されている。補強リブ４３及び補強リブ４４によって落下防止部３５及び第２の落下防止部３６の変形が抑えられるので、落下防止部３５及び第２の落下防止部３６を薄肉に形成することができ、且つ氷の動きを効果的に抑えることができる。
【００５４】
以上説明の如く、本実施形態に係る冷凍冷蔵庫１では、貯氷容器３０に落下防止部３５及び第２の落下防止部３６が形成されているので、使用者が貯氷容器３０を勢い良く引き出しても貯氷容器３０からの氷の飛び出しを防止することができる。
【００５５】
なお、本発明は、上記実施形態に限定されるものではなく、その他、本発明の要旨を逸脱しない範囲で、種々の変更実施が可能である。
【符号の説明】
【００５６】
１     冷凍冷蔵庫
２     断熱箱体
３     冷蔵室
４     冷凍室
５     野菜室
９     冷却室
１５   圧縮機
１６   冷却器
１７   送風機
２０   自動製氷機
２１   製氷皿
２２   駆動装置
２３   貯氷量検知レバー
２４   取付フレーム
２６   給水タンク
２７   導水管
３０   貯氷容器
３１   後壁
３５   落下防止部
３５ａ 前端
３６   第２の落下防止部
３６ａ 前端
３８   凹部
【図１】
2018031552.tif 000003
【図２】
2018031552.tif 000004
【図３】
2018031552.tif 000005
【図４】
2018031552.tif 000006
【図５】
2018031552.tif 000007
【図６】
2018031552.tif 000008